(57)【要約】【課題】空気調和機及びその制御方法において、空気調和機の運転を一時的に停止する待機モードを行う場合、室外機に供給される外部電源を遮断することによって待機モードで室内機及び室外機が消費する電力を最小限に抑える。【解決手段】待機運転状態で運転モードに再び切り替わる場合、通信ラインを介して室内機電源部から室外機電源部に電源が供給され、室外機の初期作動が行われる構成とした。したがって、待機運転状態で室外機に供給される外部電源を完全に遮断し、室内機のみを待機状態に維持させることによって空気調和機の待機電力消費を最小限にすることができる。【選択図】図４
2008101895.tif 000002
【特許請求の範囲】
【請求項１】
外部電源に接続されて駆動電源を供給する電源部と、通信部とをそれぞれ備える室内機と室外機を含む空気調和機において、
前記室内機と室外機とを接続する通信ラインに備えられ、通信ラインを、室内機電源部または室内機通信部のいずれか一つと、室外機電源部または室外機通信部のいずれか一つに接続させて前記室内機と室外機間に経路を設定する複数のスイッチと、
前記外部電源と前記室内機または室内機のいずれかとを接続または遮断する電源遮断部と、
空気調和機の運転を一時停止する待機運転条件なのか否かを判断し、その結果によって前記複数のスイッチと電源遮断部を制御する制御部と、
を備えてなる空気調和機。
【請求項２】
前記制御部は、室内機の停止信号が入力される、室外機の停止信号が入力される、または、少なくとも一つの停止信号が入力されてから設定時間の間に運転信号が入力されないと、待機運転条件として判断する、請求項１に記載の空気調和機。
【請求項３】
前記制御部は、待機運転条件であれば、前記電源遮断部を制御して室外機から外部電源の接続を断つ、請求項１に記載の空気調和機。
【請求項４】
オンポジション及びオフポジションをもつ前記電源遮断部は電源ラインに介装されて外部電源と室外機電源部とを接続させ、リレイ、半導体回路及びバイメタルスイッチのうちの少なくとも一つで構成される、請求項３に記載の空気調和機。
【請求項５】
前記制御部は、室外機から外部電源の接続が断たれたのち運転信号が入力されると、室内機電源部から室外機電源部に電源を供給するように前記スイッチを制御して室内機電源部と室外機電源部間に通信ラインを接続する、請求項３に記載の空気調和機。
【請求項６】
前記複数のスイッチはそれぞれ、リレイ、半導体回路及びバイメタルスイッチのうちの少なくとも一つで構成される、請求項５に記載の空気調和機。
【請求項７】
前記複数のスイッチのうち少なくとも一つは室外機内に備えられ、残りの前記複数のスイッチは室内機内に備えられる、請求項６に記載の空気調和機。
【請求項８】
前記複数のスイッチのうち少なくとも一つは複数の第１セットの接点を含み、前記複数の第１セットの接点の少なくとも一つは室外機電源部に接続され、残りの前記複数の第１セットの接点のうち少なくとも一つは室外機通信部に接続され、
残りの前記複数のスイッチのうち少なくとも一つは複数の第２セットの接点を含み、前記複数の第２セットの接点の少なくとも一つは室内機電源部に接続され、残りの前記複数の第２セットの接点のうち少なくとも一つは室内機通信部に接続される、請求項７に記載の空気調和機。
【請求項９】
前記制御部は、運転信号が入力される前に前記複数のスイッチを制御して室外機電源部に通信ラインを接続する、請求項５に記載の空気調和機。
【請求項１０】
前記制御部は、室内機電源部から室外機電源部に電源が供給されると、前記電源遮断部を制御して外部電源を室外機電源部に接続する、請求項５に記載の空気調和機。
【請求項１１】
オンポジション及びオフポジションをもつ前記電源遮断部は、電源ラインに介装されて外部電源と室外機電源部とを接続させ、リレイ、半導体回路及びバイメタルスイッチのうちの少なくとも一つで構成される、請求項１０に記載の空気調和機。
【請求項１２】
前記制御部は、室外機と外部電源が接続されると、室内機と室外機間の通信のために前記スイッチを制御して室内機通信部と室外機通信部間に通信ラインを接続する、請求項１０に記載の空気調和機。
【請求項１３】
外部電源に接続されて駆動電源を供給する電源部と、通信部とをそれぞれ備える室内機と室外機を含む空気調和機の制御方法において、
空気調和機が待機運転条件を有するか否かを判断する段階と、
上記判断結果によって、外部電源を室外機電源部に接続または遮断されるように制御する段階と、
上記判断結果によって、通信ラインを、室内機電源部または室内機通信部のいずれか一つと、室外機電源部または室外機通信部のいずれか一つに接続させて前記室内機と室外機間に経路を設定する段階と、
を含む、空気調和機の制御方法。
【請求項１４】
上記判断段階で、室内機の停止信号が入力される、室外機の停止信号が入力される、または、少なくとも一つの停止信号が入力されてから設定時間の間に運転信号が入力されないと、待機運転条件として判断する、請求項１３に記載の空気調和機の制御方法。
【請求項１５】
前記外部電源を制御する段階で、待機運転条件である場合、室外機から外部電源の接続を断つ、請求項１４に記載の空気調和機の制御方法。
【請求項１６】
前記外部電源を制御する段階で室外機から外部電源の接続を断った後に運転信号が入力されると、室内機電源部と室外機電源部間に前記通信ラインを接続して室内機電源部から室外機電源部に電源を供給する段階をさらに含む、請求項１５に記載の空気調和機の制御方法。
【請求項１７】
前記室内機電源部と室外機電源部間に前記通信ラインを接続する段階において、運転信号が入力される前に室外機電源部に前記通信ラインを接続する、請求項１６に記載の空気調和機の制御方法。
【請求項１８】
前記室内機電源部と室外機電源部間に前記通信ラインを接続する段階において、室内機電源部から室外機電源部に電源が供給されると、室外機電源部に外部電源を接続させる段階をさらに含む、請求項１７に記載の空気調和機の制御方法。
【請求項１９】
前記室外機電源部に外部電源を接続させる段階で、外部電源が室外機電源部に接続されると、室内機通信部と室外機通信部間に前記通信ラインを接続して室内機と室外機間に通信をなす段階をさらに含む、請求項１８に記載の空気調和機の制御方法。
【請求項２０】
外部電源と使用可能な空気調和機において、
室内機と、
室外機と、
前記室外機と外部電源との間に配置され、前記室外機と外部電源とを選択的に接続または遮断させる電源遮断部と、
少なくとも一つの室内機及び室外機に備えられ、前記電源遮断部と通信して空気調和機を待機運転状態または正常運転状態にする制御部と、を備えてなり、
前記電源遮断部は、前記制御部からの通信に応じて、前記外部電源と前記室外機電源部との接続を断って電源が室外機に供給されるのを遮断し、空気調和機を待機運転状態にする、空気調和機。
【請求項２１】
通信ラインをさらに備えてなり、
前記室内機は、室内機電源部と、室内機通信部と、室内機スイッチとをさらに備え、該室内機スイッチは、選択的に前記通信ラインの第１端部を前記室内機電源部及び室内機通信部のいずれかに接続させ
前記室外機は、室外機電源部と、室外機通信部と、室外機スイッチとをさらに備え、該室外機スイッチは、選択的に前記通信ラインの第２端部を前記室外機電源部及び室外機通信部の少なくとも一つに接続させ、
前記室外機スイッチは、前記制御部からの通信に応じて、前記通信ラインを前記室外機電源部に接続させて空気調和機を待機運転状態にする、請求項２０に記載の空気調和機。
【請求項２２】
前記制御部は、室外機制御部である、請求項２１に記載の空気調和機。
【請求項２３】
前記室内機に備えられる室内機制御部をさらに備え、
前記室内機スイッチは、前記室内機制御部からの通信に応じて、前記通信ラインを室内機通信部に接続させて空気調和機を待機運転状態にする、請求項２２に記載の空気調和機。
【発明の詳細な説明】
【技術分野】
【０００１】
本発明は、空気調和機及びその制御方法に係り、より詳細には、空気調和機の待機運転中に待機電力を減少させることができる空気調和機及びその制御方法に関する。
【背景技術】
【０００２】
空気調和機とは、圧縮器、室外熱交換器、膨脹装置及び室内熱交換器などの主要構成要素を冷媒が循環する配管で接続して冷凍サイクルを構成し、これらの構成要素を室外機と室内機に分離して装着し、該室内機から室内に冷暖房を行う機器のことをいう。
【０００３】
一般に、室内機と室外機は異なる場所に設置されて電源ライン及び通信ラインを介して接続され、該通信ラインを介して運転と関連した制御命令や運転状態などの情報を互いに交換する。
【０００４】
例えば、室外機に外部電源が供給されると、電源ラインを介して室内機に外部電源が供給され、使用者が室内機から運転命令を入力すると、室内機は、入力された運転命令を通信ラインで接続された室外機に送り、それに対する応答を受けて空気調和機の動作を制御する。
【０００５】
したがって、このような通信や制御動作のために、室内機と室外機には外部電源と接続された電源供給部から駆動電源が供給される。従来の空気調和機は、消費電力を最小化するために、例えば、所定周期の間に動作命令を入力しないか、待機動作命令を提供しないなど、使用者が空気調和機の動作を一時停止した場合には、制御動作を最小化する待機モードに切り替わって運転される。
【発明の開示】
【発明が解決しようとする課題】
【０００６】
しかしながら、従来の空気調和機は、上記待機モードにおいても使用者が運転命令を入力するといつでも室内機と室外機間に通信ができるように、室内機と室外機に備えられた通信部が常に待機状態を維持しなければならず、時間や季節的な要因から空気調和機を長時間運転停止する場合、各通信部の待機状態維持のための電力消費によって空気調和機の消費電力を最小限に抑え難いという問題点があった。
【０００７】
本発明は上記の従来技術の問題点を解決するためのもので、その目的は、空気調和機の運転を一時的に停止する待機モードを行う場合に、室外機に供給される外部電源を遮断することによって、待機モードで室内機及び室外機が消費する電力を最小限に抑えることができる空気調和機及びその制御方法を提供することにある。
【課題を解決するための手段】
【０００８】
上記の目的を達成するために、本発明は、外部電源に接続されて駆動電源を供給する電源部と、通信部とをそれぞれ備える室内機と室外機を含む空気調和機であって、前記室内機と室外機とを接続する通信ラインに備えられ、通信ラインを、室内機電源部または室内機通信部のいずれか一つと、室外機電源部または室外機通信部のいずれか一つに接続させて前記室内機と室外機間に経路を設定する複数のスイッチと、前記外部電源と前記室内機または室内機のいずれかとを接続または遮断する電源遮断部と、空気調和機の運転を一時停止する待機運転条件なのか否かを判断し、その結果によって前記複数のスイッチと電源遮断部を制御する制御部と、を備える構成とした。
【０００９】
また、前記制御部は、室内機の停止信号が入力される、室外機の停止信号が入力される、または、少なくとも一つの停止信号が入力されてから設定時間の間に運転信号が入力されないと、待機運転条件として判断することを特徴とする。
【００１０】
前記制御部は、待機運転条件であれば、前記電源遮断部を制御して室外機から外部電源の接続を断つことを特徴とする。
【００１１】
また、オンポジション及びオフポジションをもつ前記電源遮断部は、電源ラインに介装されて外部電源と室外機電源部とを接続させ、また、リレイ、半導体回路及びバイメタルスイッチのうちの少なくとも一つで構成されることを特徴とする。
【００１２】
前記制御部は、室外機から外部電源の接続が断たれたのち運転信号が入力されると、室内機電源部から室外機電源部に電源を供給するように前記スイッチを制御して室内機電源部と室外機電源部間に通信ラインを接続することを特徴とする。
【００１３】
前記複数のスイッチはそれぞれ、リレイ、半導体回路及びバイメタルスイッチのうちの少なくとも一つで構成される。また、前記複数のスイッチのうち少なくとも一つは室外機内に備えられ、残りの前記複数のスイッチは室内機内に備えられる。なお、前記複数のスイッチのうち少なくとも一つは複数の第１セットの接点を含み、前記複数の第１セットの接点の少なくとも一つは室外機電源部に接続され、残りの前記複数の第１セットの接点のうち少なくとも一つは室外機通信部に接続され、残りの前記複数のスイッチのうち少なくとも一つは複数の第２セットの接点を含み、前記複数の第２セットの接点の少なくとも一つは室内機電源部に接続され、残りの前記複数の第２セットの接点のうち少なくとも一つは室内機通信部に接続されることを特徴とする。
【００１４】
前記制御部は、運転信号が入力される前に前記複数のスイッチを制御して室外機電源部に通信ラインを接続することを特徴とする。
【００１５】
また、前記制御部は、室内機電源部から室外機電源部に電源が供給されると、前記電源遮断部を制御して外部電源を室外機電源部に接続することを特徴とする。
【００１６】
また、オンポジション及びオフポジションをもつ前記電源遮断部は、電源ラインに介装されて外部電源と室外機電源部とを接続させ、リレイ、半導体回路及びバイメタルスイッチのうちの少なくとも一つで構成されることを特徴とする。
【００１７】
また、前記制御部は、室外機と外部電源が接続されると、室内機と室外機間の通信のために前記スイッチを制御して室内機通信部と室外機通信部間に通信ラインを接続することを特徴とする。
【００１８】
また、本発明は、外部電源に接続されて駆動電源を供給する電源部と、通信部とをそれぞれ備える室内機と室外機を含む空気調和機の制御方法であって、空気調和機が待機運転条件を有するか否かを判断する段階と、上記判断結果によって、外部電源を室外機電源部に接続または遮断されるように制御する段階と、上記判断結果によって、通信ラインを、室内機電源部または室内機通信部のいずれか一つと、室外機電源部または室外機通信部のいずれか一つに接続させて前記室内機と室外機間に経路を設定する段階と、を含む構成とした。
【００１９】
上記判断段階で、室内機の停止信号が入力される、室外機の停止信号が入力される、または、少なくとも一つの停止信号が入力されてから設定時間の間に運転信号が入力されないと、待機運転条件として判断することを特徴とする。
【００２０】
また、前記外部電源を制御する段階で、待機運転条件である場合、室外機から外部電源の接続を断つことを特徴とする。
【００２１】
また、前記外部電源を制御する段階で室外機から外部電源の接続を断った後に運転信号が入力されると、室内機電源部と室外機電源部間に前記通信ラインを接続して室内機電源部から室外機電源部に電源を供給する段階をさらに含むことを特徴とする。
【００２２】
前記室内機電源部と室外機電源部間に前記通信ラインを接続する段階において、運転信号が入力される前に室外機電源部に前記通信ラインを接続することを特徴とする。
【００２３】
前記室内機電源部と室外機電源部間に前記通信ラインを接続する段階において、室内機電源部から室外機電源部に電源が供給されると、室外機電源部に外部電源を接続させる段階をさらに含むことを特徴とする。
【００２４】
また、前記室外機電源部に外部電源を接続させる段階で、外部電源が室外機電源部に接続されると、室内機通信部と室外機通信部間に前記通信ラインを接続して室内機と室外機間に通信をなす段階をさらに含むことを特徴とする。
【００２５】
また、本発明は、外部電源と使用可能な空気調和機であって、室内機と、室外機と、前記室外機と外部電源との間に配置され、前記室外機と外部電源とを選択的に接続または遮断させる電源遮断部と、少なくとも一つの室内機及び室外機に備えられ、前記電源遮断部と通信して空気調和機を待機運転状態または正常運転状態にする制御部と、を備えてなり、前記電源遮断部は、前記制御部からの通信に応じて、前記外部電源と前記室外機電源部との接続を断って電源が室外機に供給されるのを遮断し、空気調和機を待機運転状態にする構成とした。
【００２６】
また、上記空気調和機は、通信ラインをさらに備えてなり、前記室内機は、室内機電源部と、室内機通信部と、室内機スイッチとをさらに備え、該室内機スイッチは、選択的に前記通信ラインの第１端部を前記室内機電源部及び室内機通信部のいずれかに接続させ、前記室外機は、室外機電源部と、室外機通信部と、室外機スイッチとをさらに備え、該室外機スイッチは、選択的に前記通信ラインの第２端部を前記室外機電源部及び室外機通信部の少なくとも一つに接続させ、前記室外機スイッチは、前記制御部からの通信に応じて、前記通信ラインを前記室外機電源部に接続させて空気調和機を待機運転状態にすることを特徴とする。
【００２７】
また、前記制御部は、室外機制御部であることを特徴とする。
【００２８】
また、前記室内機に備えられる室内機制御部をさらに備え、前記室内機スイッチは、前記室内機制御部からの通信に応じて、前記通信ラインを室内機通信部に接続させて空気調和機を待機運転状態にすることを特徴とする。
【発明の効果】
【００２９】
本発明による空気調和機及びその制御方法は、待機運転状態から運転モードに再び切り替わる場合、通信ラインを介して室内機電源部から室外機電源部に電源が供給されて室外機の初期作動がなされるように構成する。
【００３０】
したがって、待機運転状態において室外機に供給される外部電源を完全に遮断し、室内機のみを待機状態に維持するため、空気調和機の待機電力消費を最小限に抑えることが可能になる。
【発明を実施するための最良の形態】
【００３１】
以下、本発明の好適な実施例を、添付の図面を参照しつつ詳細に説明する。
【００３２】
図１は、本発明の一実施例による空気調和機の正常運転状態における回路構成を示すブロック図である。
【００３３】
室外機に備えられる室外機１は、室外機１に装着された各構成要素の動作に必要な駆動電源を供給する室外機電源部１１と、室外機駆動電源ライン３０を介して室外機電源部１１に接続され、室外機電源部１１から電力を受けて室外機構成要素の動作を制御する室外機制御部１２と、室内機と通信をするための室外機通信部１３と、を備える。
【００３４】
図１に示すように、本実施例で使用される室外機電源部１１は、内部に整流回路を含むスイッチングモード電源装置（ＳＭＰＳ：Ｓｗｉｔｃｈｉｎｇ  Ｍｏｄｅ  Ｐｏｗｅｒ  Ｓｕｐｐｌｙ）であり、第１電源ライン４によって外部電源３と接続され、外部電源３から供給されたＡＣ電源を一定大きさのＤＣ電源に変換して室外機駆動電源ライン３０を介して室外機制御部１２に供給する機能を果たす。
【００３５】
また、第１電源ライン４には、室外機電源部１１に外部電源３を接続する、または、室外機電源部１１から外部電源３を遮断する電源遮断部１５が介装される。本実施例では、電源遮断部１５がオン／オフ作動のためのオンポジション及びオフポジションを持つリレイで構成され、この場合、電源遮断部１５のオンポジションは外部電源３を室外機電源部１１に接続させ、オフポジションは外部電源３と室外機電源１１との接続を断つ。電源遮断部１５は、上記に限定されず、同じ機能を果たす半導体回路やバイメタルスイッチで構成しても良い。
【００３６】
一方、室外機制御部１２は、室外機電源部１１から電力を受けて室外機通信部１３が室内機通信部２３と通信するように制御し、電源遮断部１５を制御して外部電源３を室外機電源部１１に接続させる、または、外部電源３と室外機電源部１１との接続を断つ。
【００３７】
本実施例において、室外機通信部１３は、ＲＳ−４８５通信回路のような公知の通信方式のいずれかによって好適に構成すれば良く、通信ライン６を介して室内機通信部２３に接続される。ここで、通信ライン６は、１つ以上の通信チャネル６ａ，６ｂを有することができる。
【００３８】
また、室外機１と通信ライン６との間には第１スイッチ１４が備えられる。他の実施例として、第１スイッチ１４は、通信ライン６に介装されるか、室外機１の一部になりうる。第１スイッチ１４は、第１セットの接点８ａ，８ｂ，８ｃ，８ｄを含む。室外機制御部１２は、第１スイッチ１４を制御して室外機電源部１１または室外機通信部１３のいずれかに通信ライン６が接続されるようにする。
【００３９】
したがって、第１スイッチ１４の室外機電源部１１側の第１接点８ａと室外機電源部１１は、室外機補助電源ライン３１によって接続される。本実施例において、室外機電源部１１と室外機電源部１１側の第１スイッチ１４の１対の接点８ａ，８ｃは、室外機補助電源ライン３１によって接続され、この室外機補助電源ライン３１は、例えば、１つ以上の室外機補助電源供給チャネル３１ａ，３１ｂを有することができる。
【００４０】
この第１スイッチ１４は、室外機電源部１１または室外機通信部１３に接続される第１セットの接点８ａ，８ｂ，８ｃ，８ｄのうちいずれか一つに接続されるリレイで構成したが、これに限定されず、同じ機能を果たす半導体回路やバイメタルスイッチで構成しても良い。
【００４１】
また、室外機メモリ１６は、室外機制御部１２が室外機の運転を制御するのに必要なプログラムなどを保存することができる。室外機メモリ１６は、本実施例では室外機１内に備えられるものとしたが、他の実施例として室外機１外に備えられるものとしても良い。
【００４２】
本実施例において室内機２は室内機制御ボードを備えることができる。室内機２は、室内機２に装着された各構成要素の動作に必要な駆動電源を供給する室内機電源部２１と、室内機駆動電源ライン４０を介して室内機電源部２１に接続され、室内機電源部２１から電力受けて室内機構成要素の動作を制御する室内機制御部２２と、室外機１と通信をするための室内機通信部２３と、を備える。
【００４３】
図１に示すように、室内機電源部２１は、内部に整流回路を含むスイッチングモード電源装置（ＳＭＰＳ）で構成され、第２電源ライン５によって外部電源３と接続され、外部電源３から供給されたＡＣ電源を一定大きさのＤＣ電源に変換し、これを室内機駆動電源ライン４０を介して室内機制御部２２に供給する機能を担う。
【００４４】
また、室内機制御部２２は、室内機電源部２１から電力を受けて室内機通信部２３が室外機通信部１３と通信するように制御する。室内機通信部２３は、ＲＳ−４８５通信回路のような公知の通信方式のいずれかによって好適に構成すれば良い。
【００４５】
一方、室内機通信部２３と室外機通信部１３とを接続する通信ライン６と室内機２との間には、第２スイッチ２４が備えられる。他の実施例として、第１スイッチ２４は、通信ライン６に介装されるか、室内機１の一部になりうる。第２スイッチ２４は、第２セットの接点２８ａ，２８ｂ，２８ｃ，２８ｄを含む。室内機制御部２２は、第２スイッチ２４を制御して室内機電源部２１または室内機通信部２３のいずれか一つに通信ライン６を接続させる。
【００４６】
したがって、室内機電源部２１側の第２スイッチ２４の接点２８ａと室内機電源部２１は、室内機補助電源ライン４１によって接続される。本実施例において、室内機電源部２１と室内機電源部２１側の第２スイッチ２４の１対の接点２８ａ，２８ｃとは、室内機補助電源ライン４１によって接続され、この室内機補助電源ライン４１は、例えば、１つ以上の室内機補助電源供給チャネル４１ａ，４１ｂを有することができる。
【００４７】
この第２スイッチ２４は、室外機電源部２１または室外機通信部２３に接続される第２セットの接点２８ａ，２８ｂ，２８ｃ，２８ｄのうちいずれか一つに接続されるリレイで構成したが、これに限定されず、同じ機能を果たす半導体回路やバイメタルスイッチで構成しても良い。
【００４８】
また、室内機制御部２２は、入力部２５を介して使用者が入力した運転信号を受け取り、これに基づいて必要な制御動作または通信を行う。
【００４９】
また、室内機メモリ２６は、室内機制御部２２が室内機の運転を制御するのに必要なプログラムなどを保存することができる。室内機メモリ２６は、本実施例では室内機２内に備えられるものとしたが、他の実施例として室内機２外に備えられるものとしても良い。
【００５０】
図１は、正常運転状態における回路構成であり、外部電源３が室外機電源部１１に供給されるように電源遮断部１５が制御された状態と、通信ライン６が室外機通信部１３と室内機通信部２３に接続されて室外機通信部１３と室内機通信部２３間に通信経路が設定されるように第１及び２スイッチ１４，２４が制御された状態を示している。
【００５１】
図１に示すように、外部電源３が室外機電源部１１に接続され、室内機２と室外機１は、通信が可能な状態で、空気調和機運転に必要な少なくとも一つの制御信号を交換する。
【００５２】
図２は、本発明の一実施例による空気調和機において正常運転状態から待機運転状態に切り替わる場合の回路構成を示すブロック図で、図１と同じ構成要素には同じ参照符号を付し、重複説明は省略するものとする。
【００５３】
正常運転状態から待機運転状態に切り替わると、室内機制御部２２と室外機制御部１２は電力低減のために待機運転を行う。
【００５４】
室外機制御部１２は、通信ライン６が室外機補助電源ライン３１を介して室外機電源部１１に接続されるように第１スイッチ１４を制御し、室外機電源部１１から外部電源３の接続を断つように電源遮断部１５を制御することによって、待機運転状態で室外機１に供給される電源を完全に遮断し、室外機１による電力消費を排除する。
【００５５】
一方、室内機２は通信待機状態を維持する。例えば、室内機２において、第２スイッチ２４は、通信ライン６及び室内機通信部２３に接続されている。しかしながら、室外機１側の通信ライン６が第１スイッチ１４によって室外機通信部１３ではなく室外機電源部１１に接続されているため、室内機通信部２３と室外機通信部１３間には通信経路が設定されず、室内機２と室外機１間に通信は行われない。
【００５６】
図３は、本発明の一実施例による空気調和機において待機運転状態から正常運転状態に切り替わる場合の回路構成を示すブロック図で、図１と同じ構成要素には同じ参照符号を付し、重複説明は省略するものとする。
【００５７】
待機運転状態から正常運転状態に切り替わると、室内機制御部２２は、室内機補助電源ライン４１に接続される接点２８ａ，２８ｃに通信ライン６が接続されるように第２スイッチ２４を制御し、室外機１においは第１スイッチ１４が通信ライン６を室外機電源部１１に接続させる。これによって、補助電源ライン経路が設定され、室内機補助電源ライン４１、通信ライン６及び室外機補助電源ライン３１を介して室内機電源部２１から室外機電源部１１に電源が供給される。
【００５８】
室内機電源部２１から室外機電源部１１に電源が供給されると、室外機電源部１１は室外機駆動電源ライン３０を介して室外機制御部１２に駆動電源を供給し、室内機制御部２２は第２スイッチ２４を制御し、室外機制御部１２は電源遮断部１５及び第１スイッチ１４を制御することによって、図１に示す正常運転状態の回路構成にする。
【００５９】
したがって、外部電源３が室外機電源部１１に接続され、室内機側と室外機側間に正常な通信が行われる。
【００６０】
本実施例では電源遮断部１５が室外機１側に配された場合で説明したが、これに限定されず、室内機２側に配されても良い。
【００６１】
したがって、待機運転状態において室内機２から外部電源３の接続が断たれ、室外機１が通信待機状態を維持するようになる。
【００６２】
図４は、本発明の一実施例による上記空気調和機の制御方法を示すフローチャートである。
【００６３】
空気調和機の正常運転中に、室内機制御部２２は、空気調和機が待機運転条件を有するか否かを判断し（Ｓ１０，Ｓ２０）、待機運転条件を有するとＳ２０段階にリターンする。
【００６４】
このとき、室内機制御部２２は、室内機メモリ２６に保存されているプログラムの内容によって、入力部２５に空気調和機の運転停止信号（室内機の運転停止信号及び室外機の運転停止信号を含む）が入力されると待機運転条件として判断するか、または、短い時間周期に再運転される場合に余分の運転モード切替を防止するために、運転停止信号が入力されてから室内機メモリ２６に保存されている第１設定時間の間に運転信号が入力されない場合を待機運転条件として判断する。入力部２５は、室内機２内に備えられても良く、室内機２の外部に備えられても良い。
【００６５】
Ｓ２０段階で待機運転条件として判断されると、室内機制御部２２は、室内機通信部２３を介して待機運転信号を送信し、これは室外機通信部１３を介して室外機制御部１２に伝達される（Ｓ３０）。
【００６６】
室内機制御部２２は、待機運転信号を室外機制御部１２に伝達した後に、通信待機状態を維持する。通信待機状態では、室内機制御部２２のクロック回数のようなクロック活動（ｃｌｏｃｋ  ａｃｔｉｖｉｔｙ）と室内機電源部２１のスイッチング回数のようなスイッチング活動（ｓｗｉｔｃｈｉｎｇ  ａｃｔｉｖｉｔｙ）が正常運転状態に比べて顕著に減少するため、電力消費が低減する。
【００６７】
一方、待機運転信号を受け取った室外機制御部１２は、室外機メモリ１６に保存された運転プログラムによって、室外機電源部１１に通信ライン６が接続されるように第１スイッチ１４を制御し、室外機電源部１１から外部電源３の接続が断たれるように電源遮断部１５を制御することによって、室外機１に供給される電力を完全に遮断する（Ｓ４０）。
【００６８】
あるいは、室外機電源部１１から外部電源３の接続を断ったのち第１スイッチ１４を制御することも可能であり、この場合には、外部電源３の接続が断たれても室外機電源部１１に備えられている蓄電器の放電によって第１スイッチ１４を制御できるような駆動電源が供給される。
【００６９】
上記のように、本発明による空気調和機は、待機運転状態で室外機１から外部電源３の接続を断つので、待機運転状態において本実施例による室外機１は、室内機１と室外機１間に通信待機状態を維持する従来技術に比べて、より消費電力を低減可能になる。
【００７０】
Ｓ４０段階の待機運転中に、室内機制御部２２は入力部２５を介して使用者から運転信号が入力されるか否かを判断し（Ｓ５０）、入力されなかった場合はＳ５０段階にリターンする。
【００７１】
Ｓ５０段階で、運転信号が入力された場合は、室内機制御部２２は通信ライン６が室内機電源部２１に接続されるように第２スイッチ２４を制御する（Ｓ６０）。
【００７２】
Ｓ４０段階で第１スイッチ１４が通信ライン６を室外機電源部１１に接続させ、Ｓ６０段階で第２スイッチ２４が通信ライン６を室内機電源部２１に接続させることで、補助電源ライン経路が設定される。したがって、Ｓ６０段階で室内機電源部２１に通信ライン６が接続されると、通信ライン６を介して室外機電源部１１に電源が供給され、結果として室外機制御部１２に駆動電源が供給される。
【００７３】
室外機制御部１２に駆動電源が供給されると、室外機制御部１２は、室外機メモリ１６に保存されているプログラムによって、室外機電源部１１に外部電源３が接続されるように電源遮断部１５を制御し、通信ライン６が室外機通信部１３に接続されるように第１スイッチ１４を制御する（Ｓ７０）。
【００７４】
一方、室内機制御部２２は、通信ライン６を室内機電源部２１に接続させた後、室内機メモリ２６に保存された第２設定時間が経過すると室内機と室外機間の通信が可能なように第２スイッチ２４を制御して通信ライン６を室内機通信部２３に接続させる（Ｓ８０）。これにより、空気調和機は待機運転状態から正常運転状態に切り替わる。すなわち、Ｓ７０段階で第１スイッチ１４が通信ライン６を室外機通信部１３に接続させ、Ｓ８０段階で第２スイッチ２４が通信ライン６を室内機通信部２３に接続させることで、入力された運転信号によって、室内機２と室外機１間の通信及び正常運転制御が可能になる（Ｓ９０）。
【００７５】
上記で第２設定時間とは、室外機制御部１２が電源遮断部１５及び第１スイッチ１４の制御を完了するのに充分な時間のことを意味し、これは実験から求められると良い。
【００７６】
本発明はまた、コンピュータ可読記録媒体上のコンピュータ可読コードとしても具現可能である。コンピュータ可読記録媒体は、データの記録が可能で、かつ、以降コンピュータシステムによって記録されたデータを読み出し可能な全てのデータ保存装置を含む。コンピュータ可読記録媒体の例には、ＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）、ＣＤ−ＲＯＭｓ、磁気テープ、フロッピディスク、光データ保存装置及び搬送波（ｃａｒｒｉｅｒ ｗａｖｅｓ）（例えば、インターネットを通じたデータ転送）がある。また、コンピュータ可読記録媒体は、コンピュータ可読コードが分散された形態に保存及び実行されることができるように、ネットワークで結合されたコンピュータシステムに分散されても良い。また、本発明によって成し遂げられる関数プログラム、コード、コードセグメントは、本発明の属する分野に熟練したプログラマによって容易に解析されることができる。
【図面の簡単な説明】
【００７７】
【図１】本発明の一実施例による空気調和機の正常運転状態における回路構成を示すブロック図である。
【図２】本発明の一実施例による空気調和機の正常運転状態から待機運転状態に切り替わる場合の回路構成を示すブロック図である。
【図３】本発明の一実施例による空気調和機の待機運転状態から正常運転状態に切り替わる場合の回路構成を示すブロック図である。
【図４】本発明の一実施例による空気調和機の制御方法を示すフローチャートである。
【符号の説明】
【００７８】
１      室外機
２      室内機
１１    室外機電源部
１２    室外機制御部
１３    室外機通信部
１４    第１スイッチ
１５    電源遮断部
２１    室内機電源部
２２    室内機制御部
２３    室内機通信部
２４    第２スイッチ
【図１】
2008101895.tif 000003
【図２】
2008101895.tif 000004
【図３】
2008101895.tif 000005
【図４】
2008101895.tif 000006